(57)【要約】【課題】ペットボトル等のリサイクルに貢献するとともに、地中に埋設した使用状況においても劣化し難い耐久性に優れた暗渠管を提供する。【解決手段】この暗渠管は、透水性を有する管壁１の外周側に、芯材５とその芯材５を被覆する被覆材６とからなる補強芯２を螺旋状に巻回してなるものである。管壁１は、耐薬品性を有するオレフィン系樹脂を主素材とし、補強芯２の芯材５は、ポリエチレンテレフタレート樹脂を主素材とし、被覆材６は、耐薬品性を有するオレフィン系樹脂を主素材とする。【選択図】図１
2007204954.tif 000002
【特許請求の範囲】
【請求項１】
透水性を有する管壁（１）の外周側又は内周側に、補強芯（２）を環状若しくは螺旋状に巻回してなる暗渠管であって、前記補強芯（２）は、ポリエチレンテレフタレート樹脂を主素材とする芯材（５）と、その芯材（５）を被覆する耐薬品性を有する被覆材（６）とからなることを特徴とする暗渠管。
【請求項２】
透水性を有する管壁（１）の外周側又は内周側に、補強芯（２）を環状若しくは螺旋状に巻回してなる暗渠管であって、前記補強芯（２）は、ポリエチレンテレフタレート樹脂とポリエチレン樹脂とを相溶化剤を介してアロイ化した素材からなる芯材（５）と、その芯材（５）を被覆する耐薬品性を有する被覆材（６）とからなることを特徴とする暗渠管。
【請求項３】
前記芯材（５）に用いるポリエチレンテレフタレート樹脂は、使用済み樹脂成形品から得られる再生樹脂である請求項１又は２記載の暗渠管。
【請求項４】
前記芯材（５）に用いるポリエチレンテレフタレート樹脂は、使用済みペットボトルから得られる再生樹脂である請求項３記載の暗渠管。
【請求項５】
前記被覆材（６）は、オレフィン系樹脂を主素材としてなる請求項１乃至４のいずれかに記載の暗渠管。
【請求項６】
前記管壁（１）は、前記被覆材（６）と同じ素材からなる請求項１乃至５のいずれかに記載の暗渠管。
【請求項７】
前記管壁（１）及び被覆材（６）は、ポリプロピレン樹脂を主素材としてなる請求項６記載の暗渠管。
【請求項８】
前記管壁（１）は、不織布からなる帯状体（３）を螺旋状に巻回してなり、その先行する帯状体（３）と後続する帯状体（３）の管軸方向に隣接する側縁部同士を、同じく螺旋状に巻回した前記補強芯（２）を介して熱融着若しくは接着してなる請求項１乃至７のいずれかに記載の暗渠管。
【発明の詳細な説明】
【技術分野】
【０００１】
この発明は、主として地中に埋設して使用される暗渠管に関するものである。
【背景技術】
【０００２】
一般に、暗渠管は、ゴルフ場等の各種の造成地や軟弱地盤等に埋設されて、地中に浸透した雨水や滞留水を管内に集めて所定の箇所に排水するために使用される。
【０００３】
この種の暗渠管としては、例えば特許文献１にも開示されているように、透水性を有する不織布等からなる管壁の外周に、補強芯を螺旋状に巻回してなる構造のものが知られている。
【０００４】
【特許文献１】特開平７−４８８２５号公報
【発明の開示】
【発明が解決しようとする課題】
【０００５】
近年、資源の有効利用の見地から、廃棄物のリサイクルが活発に行われている。特に、各種飲料用容器として広く用いられているペットボトルのリサイクルについては、容器包装リサイクル法の施行も相俟って関心が高まっている。
【０００６】
ところが、現状においては、衣類やシートの原料としての使用済みペットボトルの利用は進んでいるものの、依然として廃棄量は多く、さらに新たな樹脂成形品への利用が望まれている。
【０００７】
そこで、この発明者らは、上記のような暗渠管への使用済みペットボトルの利用を検討してみた。すなわち、暗渠管における補強芯や不織布等を、ペットボトルの原料であるポリエチレンテレフタレート樹脂を主素材として成形することを試みた。
【０００８】
しかしながら、暗渠管は地中に埋設して使用することから、地中に含まれるアルカリや酸に曝されても侵されない耐薬品性が要求されるが、一般にポリエチレンテレフタレート樹脂は耐薬品性に乏しい。このようなポリエチレンテレフタレート樹脂によって補強芯や不織布等を成形した暗渠管では、地中に埋設して使用した際、土壌中のアルカリや酸によりポリエチレンテレフタレート樹脂の加水分解を引き起こし易い。この加水分解が原因となり、管を構成する部材がクラック等の劣化を早期に引き起こして脆弱化し、管の寿命が短くなる等の問題があった。
【０００９】
この発明は、上記の不具合を解消するため、ペットボトル等のリサイクルに貢献するとともに、地中に埋設した使用状況においても劣化し難い耐久性に優れた暗渠管の提供を目的とする。
【課題を解決するための手段】
【００１０】
上記課題を解決するため、この発明の暗渠管は、透水性を有する管壁１の外周側又は内周側に、補強芯２を環状若しくは螺旋状に巻回してなるものであって、前記補強芯２は、ポリエチレンテレフタレート樹脂を主素材とする芯材５と、その芯材５を被覆する耐薬品性を有する被覆材６とからなることを特徴とする。
【００１１】
具体的に、前記補強芯２の芯材５は、ポリエチレンテレフタレート樹脂とポリエチレン樹脂とを相溶化剤を介してアロイ化した素材からなる。また、この芯材５に用いるポリエチレンテレフタレート樹脂として、使用済みペットボトル等の使用済み樹脂成形品から得られる再生樹脂を使用している。さらに、前記被覆材６は、オレフィン系樹脂を主素材としてなる。さらにまた、前記管壁１及び被覆材６は、同じポリプロピレン樹脂を主素材としてなる。
【００１２】
そして、前記管壁１は、不織布からなる帯状体３を螺旋状に巻回してなり、その先行する帯状体３と後続する帯状体３の管軸方向に隣接する側縁部同士を、同じく螺旋状に巻回した前記補強芯２を介して熱融着若しくは接着してなる。
【発明の効果】
【００１３】
この発明の暗渠管においては、補強芯の芯材の素材としてポリエチレンテレフタレート樹脂を用いるとともに、その芯材を耐薬品性を有する被覆材で被覆しているので、使用済みペットボトル等のリサイクルに貢献することができ、しかも地中に埋設した使用状況においても劣化し難い耐久性に優れた暗渠管とすることができる。
【００１４】
特に、補強芯の芯材の素材として、ポリエチレンテレフタレート樹脂とポリエチレン樹脂とを相溶化剤を介してアロイ化したものを用いることで、ポリエチレンテレフタレート樹脂の剛性とポリエチレン樹脂の強靱性を併せ持つ芯材となり、保形性及び耐衝撃性に優れた暗渠管とすることができる。
【００１５】
また、管壁及び補強芯の被覆材を、例えばポリプロピレン樹脂等の同じオレフィン系樹脂素材を用いて成形することで、これらの接着性を高めて、管壁から補強芯が簡単に剥がれるといった不具合を防止することができる。
【００１６】
さらに、補強芯の芯材をポリエチレンテレフタレート樹脂を主素材として成形し、被覆材をポリプロピレン樹脂等のオレフィン系樹脂を主素材として成形することで、芯材と被覆材との相溶性を低くして、互いに一体化させない構造とすることができる。これによって、管壁の曲げに対して芯材が突っ張らず、良好な可撓性を維持することができ、また補強芯の被覆材を引きちぎることで、管壁から芯材を簡単に取り外して、使用後のリサイクルも容易となる。
【００１７】
また、螺旋状に巻回した帯状体の側縁部同士を、同じく螺旋状に巻回した補強芯を介して連結することで、暗渠管を不定長に連続して生産することが可能となり、生産性を高めることができる。
【発明を実施するための最良の形態】
【００１８】
この発明の実施の形態について、図面を参照しつつ詳細に説明する。この発明の一実施形態に係る暗渠管は、各種の造成地や軟弱地盤等の地中に埋設されて、地中に浸透した雨水や滞留水を管内に集めて所定の箇所に排水するためのものであって、図１に示すように、透水性を有する管壁１と、この管壁１の外周側に螺旋状に巻回された補強芯２とを備えている。
【００１９】
管壁１は、耐薬品性を有する例えばポリプロピレン樹脂を素材とする不織布からなる帯状体３を螺旋状に巻回してなる。この帯状体３の素材であるポリプロピレン樹脂としては、リサイクルの観点から、使用済みの樹脂成形品から得られた再生樹脂を用いるのが望ましい。
【００２０】
この帯状体３の長手方向に沿った両縁端部は、コ字形のカバー材４、４によって覆われていて、それら両縁端部がばらけないように平滑になっている。このカバー材４、４についても、例えばポリプロピレン樹脂を素材として成形されているが、リサイクルの観点から、使用済みの樹脂成形品から得られた再生樹脂を用いるのが望ましい。
【００２１】
なお、帯状体３及びカバー材４、４は、ポリプロピレン樹脂を主素材として成形するだけに限らず、耐薬品性を有するその他のオレフィン系樹脂を主素材として成形しても良い。
【００２２】
補強芯２は、棒状の芯材５と、その芯材５の外周を被覆する被覆材６とからなる。芯材５は、ポリエチレンテレフタレート樹脂を主素材として成形されており、このポリエチレンテレフタレート樹脂としては、例えば使用済みペットボトル等の使用済み樹脂成形品から得られる再生樹脂が用いられている。具体的には、このようなポリエチレンテレフタレート樹脂と、使用済みポリエチレン管等の
使用済み樹脂成形品から得られる再生樹脂であるポリエチレン樹脂とを、相溶化剤を介してアロイ化したものを用いている。この素材は、ポリエチレンテレフタレート樹脂の剛性とポリエチレン樹脂の強靱性を併せ持つことから、補強芯２の芯材５として用いることで、保形性及び耐衝撃性に優れた暗渠管とすることができる。なお、芯材５の素材であるポリエチレンテレフタレート樹脂やポリエチレン樹脂としては、ペットボトルやポリエチレン管等の樹脂成形品の廃材から得られた再生樹脂のみを用いることが、リサイクルの観点からも好ましいが、例えばバージンの樹脂を一部混ぜ合わせたものや、バージンの樹脂だけを用いるようにしても良い。
【００２３】
被覆材６は、耐薬品性を有する例えばポリプロピレン樹脂を主素材として成形されている。この被覆材６の素材であるポリプロピレン樹脂としては、リサイクルの観点から、使用済みの樹脂成形品から得られた再生樹脂を用いるのが望ましい。なお、被覆材６は、ポリプロピレン樹脂を主素材として成形するだけに限らず、耐薬品性を有するその他のオレフィン系樹脂を主素材として成形しても良い。この被覆材６は、芯材５を単に袋状に包み込んでいるだけであって、芯材５とは非接着状態となっている。
【００２４】
そして、補強芯２は、管壁１の先行する帯状体３と後続する帯状体３のカバー材４、４間に沿って螺旋状に巻回されている。そして、それらカバー材４、４と補強芯２の被覆材６とが熱融着若しくは接着によって一体化されている。すなわち、管壁１の先行する帯状体３と後続する帯状体３の管軸方向に隣接する側縁部同士が、補強芯２を介して連結されている。
【００２５】
上記構成の暗渠管おいては、補強芯２の芯材５の素材としてポリエチレンテレフタレート樹脂を用いているので、使用済みペットボトル等の廃材のリサイクルに貢献することができる。しかも、応力下での耐薬品性に乏しいとされるポリエチレンテレフタレート樹脂製の芯材５を使用しながらも、その芯材５を耐薬品性に優れたポリプロピレン樹脂製の被覆材６で覆っているので、地中に埋設した使用状況においても劣化し難い耐久性に優れた暗渠管とすることができる。
【００２６】
また、この暗渠管においては、管壁１と補強芯２の被覆材６とを同じ種類の樹脂によって成形しているので、これらの接着性が良好で、管壁１から補強芯２が簡単に剥がれるといった不具合を防止することができる。しかも、管壁１を構成する不織布の両縁端部にカバー材４、４を取り付けて、被覆材６との接着面がばらけ難いようにしているので、管壁１と補強芯２との接着強度をより一層高めることができる。
【００２７】
さらに、この暗渠管においては、管壁１と補強芯２の被覆材６とは一体化されているが、これらと補強芯２の芯材５とは一体化されておらず、管壁１の曲げに対して芯材５が突っ張らず、良好な可撓性を維持することができる。しかも、補強芯２の被覆材６を引きちぎることで、管壁１から芯材５を簡単に取り外すことができ、樹脂の種類毎の分別がし易く、使用後のリサイクルも容易となる。
【００２８】
以上にこの発明の具体的な実施の形態について説明したが、この発明は上記形態に限定されるものではなく、この発明の範囲内で種々変更して実施することができる。例えば、補強芯は、管壁の外周側に螺旋状に連続的に巻回するだけに限らず、例えば螺旋方向に間隔をあけて間欠的に巻回しても良く、また管軸方向に間隔をあけて環状に巻回しても良い。さらに、管壁の外周側だけでなく、内周側に設けるようにしても良い。
【００２９】
さらにまた、補強芯の芯材は、少なくとも被覆材によって被覆されていれば良く、その形状や本数は、図１及び図２に示すものに限定されるものでない。例えば、図３(ａ)に示すように、断面略台形状に形成したり、図３(ｂ)に示すように、外方に突出する一対の突起部１０、１０を有するような形状であっても良い。
【図面の簡単な説明】
【００３０】
【図１】この発明の一実施形態に係る暗渠管の一部破断側面図である。
【図２】同じく補強芯部分の拡大縦断面図である。
【図３】他の形状の芯材を示す拡大縦断面図である。
【符号の説明】
【００３１】
１・・管壁、２・・補強芯、３・・帯状体、５・・芯材、６・・被覆材
【図１】
2007204954.tif 000003
【図２】
2007204954.tif 000004
【図３】
2007204954.tif 000005